(57)【要約】      （修正有）【課題】風が止っても羽根車が回り続け、２４時間休みなく発電し、雷に強く、都心の眞中でも高出力発電し、強風、台風の時は１０％プラス発電し、しかも発電コスト目標を達成できる風車発電にする。【解決手段】低電圧ワットの電気モータの回転入力で１００倍以上の増幅倍率を出すことの可能な増幅モーターの構造は、２ケ１組のゴム風船にタイミング良くカムを２ケ使い、気体、液体、磁石体力の総合力で、ジエネレータロータの回転力を３０ｋｇ−ｃｍ以上の力、と８００ＲＰＭ以上で安定回転し、簡単構造にする手段にする。ジエネレータは低トルク可能タイプに変更し、熱の分散型にし、熱風の用途は他装置に使い、１切の排出物をださない増幅モータ付風車発電を提供する。また、２角型増幅モータのみを自転車に塔載する。【選択図】図１
2009108845.tif 000002
【特許請求の範囲】
【請求項１】
低圧気体を封入した２ケ１組のゴム風船タンクをタンクケースの中に配設し、上から風船を垂直に交互押し用カムと、押し用カムの２種を電気モータで同軸回しし、垂直の主ピストンの作動により、主ピントンの中液体を押し増圧液を水平の従ピストンに送り先端のロットエンドを回しインターナルギヤーに直結の歯車を回し、増速遊星歯車群で８００ＲＰＭに増速し、ジェネレータ、負荷時トルク値の３倍以上の力で回転し、定格発電々気をステータ外周部から別置きの、インバータにつなぎ「使用用」「バッテリ充電用」に使用することのできる風力発電で、入力電気モータの１００倍以上の増幅倍率をもち、風船タンク内空圧１〜１．５ｋｇ／ｃｍ２の低圧で長期補圧の必要はないが、万一圧低下対策のため、別置きのエアーポンプをバッテリからの電源で圧力センサー注封し、従ピストンの液体補充は、手動式ポンプで３〜５年に１回補充する。また、主従両ピストン共、スプリング入りとし円滑戻り方式とするが正確動作のため、１組２ケで従ピストンからでる排出空気は隣のピストンにチューブ配設にし、ジェネレータ発熱を室外へ排出する構造の装置で、平均年間風速３ｍ／秒の都心部など風の吹かない地区に於ても、台風のくる地区では定格の１１０％以上出力発電する気圧力、液圧力及び磁気力を人の体のように使って排出物を１切ださない偶数角型増幅モータ付風力発電。尚中心軸から排出の温風は、電気温水機へ運ぶ。
【請求項２】
平面上、ケイ素鋼板円板に接合した３角形パーマロイ鉄心の外周に３極ピッチで銅巻線したステータを外周部下部固定し、上下２面、０．５〜１．０隙間を保つよう、羽、フライホイル、スラストガラスボール磁気ペースト付軸受、及び永久磁石を接合し中心軸に固定したロータを８００ＲＰＭで回し、ステータロータ間２面で発生する回転磁回、電機子電流をスタータ外周部から下へ取出し、外置きのインバータに接続し、発電電気を、バッテリー、充電、売電、空気入れポンプ及び使用する垂直軸型風力発電装置に最適の合理的小型ジェネレータ。フエライト磁石φ２００、厚み１０、パーマロイ高さ２５、銅線φ０．５、巻数８００回、１５極の発電出力は１．２ＫＷＨで１００Ｖ、５Ａ、１５０ＨＺ力率８０遅れ。の実施例。
【請求項３】
回転トルク１．５ｋｇ−ｃｍを越える力を有する小型２角型増幅モータを搭載した請求項１のジェネレータ無し２人乘、座席付３輪自風船車。
ワンウエイクラッチベヤリング付小踏込み量クランク型初動ペダルを交互に踏むと、前輪に配設の３ボルトダイナモが発進と共に回り、発電電流が３Ｖ、電気モータに流れ風船押しカム及びくび振りカムの作動により、後輪を回し走行を続け、速度制御は、１）右前の足踏み式アクセルペダルによる電気モータの回転数制御、２）左前の足踏み式ブレーキペダル、による他、請求項１と異る点は、ゴム風船タンクへの空気補充は、自動ではなく、手動空気入れとし、従ピストンの液体補充方法と同じとするが、３〜５年に１回で済む、又、増幅モータの重量が普通自転車に比し約３ｋｇプラスになるため、１）ブレーキ停止のみとし、停車金具削除。２）前輪柱、床板、座席、ひじかけ、後輪カバー、後部荷物入れ場などには金属の使用をやめ、厚み０．５〜１．０ｍｍのグラスフアイバーの樹脂接合品を使用しカーボンフアイバー入り品よりも軽くし、雨風よけ、寒風よけ、としてのカバー前面には、里芋の葉と同じ水付着防止膜処理をした電動自転車に代る空気、液体、磁力利用新エネルギー製造で、１切ものを捨てない自転車。
さらに、船、船外機、及び船空機など多くの油を使用して走る乘物。電柱、送電線、パンタグラフなど不要の電車。インド洋で給油不要の軍船。など実用化開発を必要とするものが多く有り、かつ急務である。
【請求項４】
Ｘリングを含む２ケ以上のシールリップをもつ水空油圧シリンダー他のゴムシーに於て、摺動部の潤滑剤保持の目的でリップの中間にリップのように接触しないで０．１〜０．３ｍｍの隙間を有する磁気入りゴム角リングを嵌め、眞空中のＦｅＯ４微粉にシリコン油を封入した磁性ペーストを塗布し、駆動中の油膜切れを無くし、常に摺動抵抗を減少し、シール機能と耐久性向上の、シール用角リング、及び磁気ペースト［図８］。
さらに、１般軸受用ボール、ローラー及びニードルなどの回転体を磁気処理し、磁ペーストを与える方法。又回転体を硬質ガラスにし、その回転体周辺部品を磁性体にし、磁ペーストを注油し、た潤滑油飛散防止付軸受［図９］
【発明の詳細な説明】
【技術分野】
【０００１】  本発明は、風のある時は風力で発電し、風のない時は増幅モーターが回し２４時間休みなく回り発電する風力発電装置。気体の空気、液体  水力に、磁力を加え、高増幅倍率１００倍以上で垂直軸型風車用垂直軸型適応新ジェネレーター搭載タイプ。及び増幅モータのみ搭載の乘物。
【背景技術】
【０００２】  平均風速３．３ｍ／秒の風より吹かない日本都心部でも２４時間風車が回り発電し、強風では、定格の１０％プラス発電し、台風歓迎型で雷にも強い小型で、１．２ＫＷ（家庭３軒分）〜４００ＫＷ（業務、工場用）出力のため従来の大型水平軸型風力発電の集中タイプを自己発電でその場で電気を使う分散タイプに変更し、合理性の達成可能となった。その背影は、増幅モーターの研究に、ヒトの体内の心臓、肺、血液の流れ、などを眞似たものであり、ジェネレータのコギングロスを減少した平面利用技術の２者である。
出願特許２００６−３０９６９２
【発明の開示】
【発明が解決しようとする課題】
【０００３】  風がなくても風力発電し、水の流れが止まっても水力発電する装置の発明などは、多くの研究者が進めているが、新らしい超音波発電、電子力発電、電波力発などの実用化迄の期間本発明の風力発電で分散型として実用化を進める。当面の風力発電は、電気モータによ入力が必要で、「エネルギー不滅の法則を覆えす」ものではないが  できるだけ小入力で増幅力を高め、入力不要の開発は、次世代技術者に任す。
従って、空気、水などを使い機械的力を活用し、１００倍以上の増幅倍率への挑戦と、コギングロスの小さい１０ｋｇ−ｃｍ以下のトルクジェネレータの発を課題とする。そして自己使用電気は、自己発電による。
【課題を解決するための手段】
【０００４】  本発明の増幅モーターは、ヒトの体の眞似をした。ヒトの肺の代りにゴム風船を。吸入酸素の代りに空気を。心臓の代りに電気モーターカムを。そして血液の代りを水、油などの液体を配置し、一切の排出物をださために磁力を使う手段とし、台風、強風など風のある日は、定格出力にプラス発電になるようにした。
又、ジェネレータは、垂直軸羽根車をもつ風力発電と同じ垂直軸タイプにし、銅線巻きステーターの平面の上側面と下平面の２面を永久磁石平面２面に接近させ、僅少寸法ロータ回転磁界、電機子電流を下部へ取出すコギングロスの小さいロータ  トルク１０ｋｇ以下−ｃｍのローター回転ジェネレーターを搭載した。
さらに、乘物の１つとして、増幅モーター搭載の電動自転車に代る空液自走自転車を実用化する。
【発明の効果】
【０００５】  図１、図２は本発明の風力発電  増幅モーターを示すが、室外置き箱には、▲１▼３ボルトバッテリー。▲２▼同充電器。▲３▼１００ボルトインバータ。▲４▼３Ｖ１０ワット圧力弁付空気ポンプ、▲５▼電気スイツチ、▲６▼センサー部品などを置き、増幅モーター室内の３Ｖ２０Ｗ用電線。（バッテリー接続）細径空気管。及び、発電々線などで結ぶ図７の羽根車付風車発電。【０００６】  図１、図２の内容説明。外置きの空気ポンプスイツチＯＮで、４ケのゴム風船（８）に少しづつエヤーが入り、圧力限界に達するとポンプは自動停止し、３Ｖ２０Ｗモータ（９）が駆動開始し、上部外軸（３９）が回り上部の風船押しカム（１０）と下部のくび振りカム（４７）の２ケのタイミング稼動する。４ケのゴム風船の内２ヶ１組で交互にゴム風船を押すための垂直型主ピストン（１２）が降下するとき、下に入れたシリコン油を押し、その力で従ピストン（７）を水平に動かし、先端のロットエンド（６）径由、クラッチ付歯車（５）を回しインタルギヤー（４）を回し、（１００ＲＰＭ）増速遊星歯車群（３）を回し、ジェネレーターロータの中心下軸（２）を回し（８００ＲＰＭ）発電し、電気を下部から、別置きの１００Ｖインバータ、径由、使用可電気にし、３Ｖバッテリー充電用他使用するもの。図２左半分に、くび振りカム（４７）を示し、右半分に風船押しカム（１０）関連を示す。さらに、
１）ゴム風船の空気補充は、センサー作動で、常に充電されたバッテリー電源から配線できるため歯車の回転が変動しない。
２）主ピストンに受ける荷重が少しでも主ピストン径と従ピストン径の差で歯車を回す速さとトルク値が安定する。それは、負荷時ジェネレターロータに与える、トルク値は３〜５倍になる。（１．２ＫＷ出力時、モータは３５０ｋｇ−ｃｍ。）
３）ゴム風船には、逆止弁、圧力センサー（４９）があり安定回転する。
４）主ピストン下部油量補充は補充液管（４８）で外からでき、約１年１回位で済むため心配がない。
５）ゴム風船押し円板（４２）、外周リング（３８）及び風船受板（３６）は軟質材のためゴム風船の耐久性は、非常に長く５年以上耐久可能シリコンゴム等とする。
６）３ＶＤＣモータ（９）、風船押しカム（１０）、アーム（４０）及びくび振りアーム（４３）などに加えられる荷重減少のため、２ケのカム作動タイミングに配慮したので円滑作動する。
７）ジェネレータ発生熱飛散上昇可能タイプにしたので増幅モーター室内圧が約０．０５ｋｇ／ｃｍ２可となり、雨、ホコリの進入を防ぐ。
８）油などの液体リークを少なく、耐久性向上、摩擦抵抵抗低下のため、主ピストンシール（４４）及び従ピストンシール（４４）をエツキスリングシール中央の磁気入り角リング（５４）にシリコン油付磁性ペーストを注油し、シール面に油膜を作り、低摩擦で高シール機能をもつ。
９）従ピストン（７）入りのシリンダーは、往復時回るため、その下部に、ガラスボール（２１）を入れ中心軸を磁石にし、さらに衝撃防止にゴムクッシヨン（４５）を入れた。
以上の通り、１００Ｖ、１２００ワット出力の場合増幅モーター付風力発電はジェネレータトルクの３〜５倍力がでるため、水平軸大型発電装置に比べ、大
2009108845.tif 000003
を基準設計とした中型３００ＫＷ。さらに大型５００ＫＷの実用化に挑戦し、送電ロス０にした分散型発電のモデルとしたい。それは、２４時間、雨の日も風に関係なく８０年発電したい。そのことは、原発を減らし０にし、温暖化対策をしながら、発電コスト今、２２円／ＫＷ（他社の風力発電）を１円以下／ＫＷを達成する効果がある。【０００７】  図３、図４の左半分は、図１、図２の増幅モータと少し異るものでインターナルギヤーを回すための歯車（５）を４ケにしたもので風船１ケに１ケとしたため風船ふさぎカムが必要となり（１３）主ピストンより従ピストン（７）へ送る液体の質により、特殊バルブ（２５）の中が変る、図１より高価。【０００８】  図３、図４の右半分は、図１に比し配管部を増し、１般のシリンダーと同じダイヤフラム（１７）方式とし、ゴム風船をやめ、ドーナツ型ブラダ内周、外周風船とし、内周風船に窒素ガス１ｋｇ／ｃｍ２を入れ、外周風船の空気をメカバルブ（１５）でシリンダーに配分、ピストンの上昇は両ピストンに入れたスプリング（１６）（３７）で戻し、空気は、バルブを通りα室へ戻る。βはα作動補助。図１に比し正確動作が劣り、ガス、空気、油の補充は、上部ノズル（１９）で行う。【０００９】  図５、図６は、本発明のジェネレータ、を示すもので風力発電の中でも垂直軸専用である。風のない時は８００〜９００ＲＰＭでローターが回り、小型で１、２ＫＷ１００Ｖの出力、大型で５００ＫＷ２００Ｖの出力となる。台風など強風では、１０００〜１２００ＲＰＭで回り約１５％の出力ｕｐとなる。フエライト磁石（２８）とフライホイル（３２）（３３）を立上げ曲げ羽空孔部の多い磁石受板（２７）に接合し、中央のステーターの下面に向け中心下軸（２）に固定し回す。中央のステータは、下面にケイ素鋼板円板３１）の上に３角形のパーマロイ鉄芯（３４）を接合し、その外周にφ０．３〜０．７の銅線を３極とびに８００〜１０００回巻線し、上下面の磁石平面との隙間０．６〜０．８ｍｍを維持し外周部固定し、ローター磁石面との間に発生する回転磁回で発生する電気子電流を発電出力として下部へとり出すジェネレーター。磁極数１０ケ、外径φ２００，厚み１０ｍｍ、巻銅線高さ２４ｍｍ、線径φ０．５ｍｍで８００ＲＰＭの場合１００Ｖ、５Ａ、３相、１５０ＨＺ、力率遅れ８０に於ける発電出力約１２００ワットを得ることが可能。
面平面度保持のため、下ロータの下に磁性ペースト付のガラスボールφ３ｍｍを入れ（２１）下フライホイル（３３）で受け、上部フライホイル（３２）の下部にも受けるが磁性ペースト（シリコン油入り）の飛散防止のため、ガラスボールとガラスボールの間に外径φ２．５ｍｍ、内径１．０ｍｍ、長さ約１０ｍｍのプラスチック磁石を入れる。ジェネレータ発熱空気を上昇させるため、ロータの磁石受板の下に気体吸い込み羽を設け開孔部を（３５）増大し、ステーターにも窓（３５）を多くし、さらに上ロータ受板には気体上昇用羽を設け、フライホイルにも多の窓（３５）により昇温を防止する。
エネルギー変換倍率０．６〜０．９倍の小型ジェネレータのくせに高出力を特長とするもの。図６の左半分はロータ、右半分はステーターの平面を示す。【００１０】  図７は、上記増幅モーター付風力発電で質量は、小型の場合外径φ４２ｃｍ、高さ６０ｃｍで重量約２０ｋｇ、マンシヨンでは、北側の通路、外吊るし、戸建ち住宅では北側窓外吊るし、１２００Ｗ２４時間、定検迄５年間連続発電３家族分発電し、２家分売電。
中型は３００ＫＷ工場、ビルなどの自己発電用。外径φ１２０ｃｍ高さ１６０ｃｍ
大型は５００ＫＷ発電事業用。外径φ１５０ｃｍ、高さ１８０ｃｍ。以上３種は、台風歓迎タイプ。雷、鳥にも無関係で美しい国づくりに役立つ。【００１１】  図８は、ピストン、シリンダー部の空、油圧シールの２リップの中間に磁気ゴム角リングを入れ、磁性ペーストを注入し、常にシールの接触面に潤滑油の保持ができ、耐久性を向上した。【００１２】  図９は、風車軸、ジェネレータ軸などの荷重受部に、１般のスラストベアリングの代りとして使用するもので、ガラスボール（２１）と接するＲ付きφ３ピン（２６）外周に２ケの磁石（２３）とさらにピンを芯とした水平方向の偏芯防止ボールベアリング（５３）を入れ、中心ボール周辺に、シリコン油の粘度の高いものにＦｅＯ４粉を混合した磁性ペースト（２４）を注ぎ、１）回転トルク低下、２）耐久性３倍、を可能にした。風車の中心軸以外のジェネレータフライホイル部の他、応用し、１般スラストボールベヤリングより安価で長寿命。【００１３】  図１０は、超小型増幅モーターを乘物としての自転車に搭載し、電動自転車の代りとする。
３輪で２人乘り座席付きの前座席下部に増幅モーターを入れ、従来自転車と同じ足踏みペダルの回転力を初動のみに使い、上部外軸（３９）を回し図１の中心下軸を回し、ジェネレータをはずし、後輪の回転力として走るもの。走行が初まると、前輪の回転で駆動する小型ダイナモ（現自転車のライト用と同じ）の作動で２ケのカム（１０）（４７）が回るため、足踏みペダルの動作不要。走行速度制御、（ＭＡ×３０ｋｍ時）はすべてブレーキ、及び電気的、軸回転数制御方式であるため、電池不要、従って充電不要、ジーゼルエンジン油不要、ガソリン等１切不要、荷物置場も充分で静かに走るため、新聞配達バイクの代りとなり、タクシーなどにも利用可能な、停車時倒れないためバイク、自転車のように倒れどめ不要（ブレーキのみ）の安全合理的手軽軽量子供、年寄り、合羽不要の三輪風船車。
尚、増幅モーターの重量が約３ｋｇ従来の自転車にプラスとなるが軽量化対策として、１）前輪柱。２）床板。３）座席。４）後輪カバー  ５）ひじかけ。などには金属の使用をやめ、厚み０．５ｍｍのポーラスグラスフアイバを樹脂と接合の材料
2009108845.tif 000004
【００１４】  図１１は、雨風の日も合羽、傘なしで安全に走行できるカバーを取付、取はずしの容易型とし、前カバー材には、里芋の葉の如く雨、水がつかない表面にし、ワイパーを不要とした。
【図面の簡単な説明】
【００１５】
【図１】本発明の４角型増幅モーター。４ケのゴム風船の内２ケ１セット２ケのカムによる交互動作タイプの正面図
【図２】図１のカム２ケの内くび振りカム（４７）を示めす左半分平面、風船押しカム（１０）を右半分平面図。
【図３】本発明の４角型増幅モータの内、図１と異なるタイプ構造をもつ左分及びドーナツ型風船にした右半分正面図。
【図４】図３の平面図。
【図５】本発明の垂直軸型ジェネレータ正面半断面図。
【図６】本発明の垂直軸型ジェネレータのローターを左半分。ステータを右半分に示す平面図。
【図７】本発明の増幅モータ付風力発電装置の外観を示す斜視寫眞図。
【図８】本発明の往復動空油圧シールの半断面図。
【図９】本発明の磁気ペーストスラスト軸受正面断面図。
【図１０】本発明の増幅モータ付乘物の内、３輪自転車の斜視図。
【図１１】図１０のカバー斜視図。
【産業上の利用可能性】
【００１６】  本発明の発電装置は、自家発電方式。今迄のように送電ロス（４８％）が０になる分散方式発電のため、原発、ダム水力発電、火力発電、ソーラー発電、地熱発電、海洋温度差発電、バイオマス発電、ガス発電、及び海上、海浜、山に多い大型水平軸（高さ１００ｍを越える）発電などすべてに代るもので、上記全産業に利用可能である。
又、上記発電で使用した大量の電線（銅）及び鉄柱（鉄）その他は他に利用可能となるからこの産業にも利用の可能性は多く、さらに本発明の
2009108845.tif 000005
今、世界の科学者は、次世代発電方式として、１）電子力発電、２）電波力発電、３）光のない時の太陽光光無し発電、４）ジェネレータ永久運動発電、５）宇宙での水素発電、その他多くの研究が進んでいるが、何れも本発明の方式に比し【００１６】  本発明の乘物は、まず自転車、次に、船、航空機に拡大し、上記発電と平行して「京都議定書」を遙かに越える温暖化成果で経済力を生む産業になることに挑戦する。
【符号の説明】
【００１７】  １、ジェネレータ  ロータ          ２、中心下軸
３、遊星歯車群                    ４、インターナルギヤー
５、ワンウエイクラッチ付歯車      ６、ロットエンドアーム
７、従ピストン                    ８、ゴム風船（αタンク）
９、ＤＣモータ                  １０、風船押しカム
１１、風船押しアーム              １２、主ピストン
１３、風船ふさぎカム              １４、外周風船α
１５、メカニカルバルブ            １６、従ピストンスプリング
１７、ダイヤフラム                １８、内周風船（βタンク）
１９、補充ノズル                  ２０、上軸
２１、ガラスボール                ２２、上下調整ボルト
２３、磁石                        ２４、磁性ペースト
２５、特殊バルブ                  ２６、丸ピン
２７、磁石受板                    ２８、ロータ用磁石
２９、ステータ固定具              ３０、銅巻線
３１、ステータケイ素円板          ３２、上フライホイル
３３、下フライホイル              ３４、パーマロイ鉄芯
３５、通気窓                      ３６、風船受板
３７、主ピストンスプリング        ３８、外周リング
３９、上部外軸                    ４０、アーム、モータ保持具
４１、スプリング                  ４２、風船押し円板
４３、くび振りアーム              ４４、磁石角リング付Ｘリングシール
４５、ゴムクッシヨン              ４６、シリコンゴム気体チューブ
４７、くび振りカム                ４８、補充液管
４９、補充気体接手                ５０、ロータ空気上昇羽根
５１、グラスフアイバーフイルター  ５２、交互振分け板
５３、ボールベアリング            ５４、磁気ゴムリング
【図１】
2009108845.tif 000006
【図２】
2009108845.tif 000007
【図３】
2009108845.tif 000008
【図４】
2009108845.tif 000009
【図５】
2009108845.tif 000010
【図６】
2009108845.tif 000011
【図７】
2009108845.tif 000012
【図８】
2009108845.tif 000013
【図９】
2009108845.tif 000014
【図１０】
2009108845.tif 000015
【図１１】
2009108845.tif 000016
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
低圧気体を封入した２ケ１組のゴム風船タンクを、専用ケースの中に配設し、上から風船を垂直に交互押し用カムと、押し用カムの２種を電気モータで同軸回転し、垂直主ピストンの作動により、主ピストン中の液体を押し増圧液を水平の従ピストンに送り、先端のロットエンドにてインターナルギヤーに直結の歯車を回し、増速遊星歯車群で１０００ＲＰＭに増速し、ジエネレータ負荷時トルク値の３倍以上の力で回転し、定格発電々気をステータ外周部から別置きのインバータにつなぎ「使用用」「バッテリ充電用」に使用することのできる風力発電で、入力電気モータの１００倍以上の増幅倍率をもち、風船タンク内空圧１〜３ｋｇ／ｃｍ２の低圧で長期補充必要ないが、備え圧低下対策のため、別置きのエヤーポンプをバッテリー電源で回し補充、（センサー）従ピストンの液体補充は、手動式ポンプで３〜５年に１回補充する。又、主従両ピストン共、スプリング入りとし円滑戻り方式とするが正確動作のため、１組２ケで従ピストンからでる排出空気は隣のピストンにチューブ配設にし、ジエネレータ発熱を室外へ排出する構造の装置で、平均年間風速３ｍ以下の都心部など、風のない時でも発電し、台風のくる地区では定格の１１０％以上出力発電する、気圧力、液圧力及び磁気力を人の体のように使って排出物を１切ださない偶数角型増幅モータ付風力発電。尚中心軸から排出の温風は、電気温水機へ運ぶことも可。
【請求項２】
平面状、ケイ素鋼板円板に接合した３角形パーマロイ鉄心の外周に３極ピッチで銅巻線したステータを外周部下部固定し、上下２面０．５〜１．０隙間を保つよう、羽、フライホイル、スラストガラスボール磁気ペースト付、軸受、及び永久磁石を接合し中心軸に固定したロータを１０００ＲＰＭで回し、ステータロータ間２面で発生する回転磁回、電機子電流をスタータ外周部から下へ取出し、外置きのインバータに接続し、発電電気を、バッテリー、充電、売電、空気入れポンプ及び使用する垂直軸型風力発電装置に最適の合理的小型ジエネレータ。フエライト磁石φ２００、厚み１０、パーマロイ高さ２５、銅線φ０．５、巻線８００回、１５極の発電出力は１．２ＫＷＨで１００Ｖ、５Ａ、１５０ＨＺ力率８０遅れ。の実施例有り。
【請求項３】
回転トルク１．５ｋｇ−ｃｍを越える力を有する小型２角型増幅モータを搭載した請求項１のジエネレータ無し２人乗座席付３輪自風船車。
ワンウエイクラッチベヤリング付、小踏込み量クランク型初動ペダルを交互に踏むと、前輪に配設の３ボルトダイナモが発進と共に回り、発電電流が３Ｖ、電気モータに流れ風船押しカム及びくび振りカムの作動により、後輪を回し走行を続け、速度制御は、１）右前の足踏み式アクセルペダルによる電気モータの回転数制御、２）左前の足踏み式ブレーキペダル、による他、請求項１と異る点は、ゴム風船タンクへの空気補充は、自動ではなく、手動空気入れとし、従ピストンの液体補充方法と同じとするが、３〜５年に１回で済む、又、増幅モータの重量が普通自転車に比し約３ｋｇプラスになるため、１）ブレーキ停止のみとし、停車金具削除。２）前輪柱、床板、座席、ひじかけ、後輪カバー、後部荷物入れ場などは金属の使用をやめ、厚み０．５〜１．０ｍｍのグラスフアイバーの樹脂接合品を使用し、カーボンファイバー入り品よりも軽くし、雨風よけ、寒風よけ、としてのカバー前面には、里芋の葉と同じ水付着防止膜処理をした電動自転車に代る空気、液体、磁力利用新エネルギー製造で、１切、捨て
さらに、船、船外機、及び航空機など多くの油を使用して走る乗物。電柱、送電線、パンタグラフなど不要の電車。インド洋で給油不要の軍船。など実用化開発を必要とするものが多く有り、かつ急務である。
【請求項４】
Ｘリングを含む２ケ以上のシールリップをもつ水空油圧シリンダー他のゴムシーに於て、摺動部の潤滑剤保持の目的でリップの中間にリップのように接触しないで０．１〜０．３ｍｍの隙間を有する磁気入りゴム角リングを嵌め、真空中のＦｅＯ４微粉にシリコン油を封入した磁性ペーストを塗布し、駆動中の油膜切れを無くし、常に摺動抵抗を減少し、シール機能と耐久性向上の、シール用角リング、及び磁気ペースト。［図８］
さらに、１般軸受用ボール、ローラー及びニードルなどの回転体を磁気処理し、磁気ペーストを与える方法。又回転体を硬質ガラスにし、その回転体周辺部品を磁性体にし磁気ペーストを注油し、た潤滑油飛散防止付軸受。［図９］
【請求項５】
低圧気体、液体及び混合体などを封入した左右２ケのドーナツ半切りタイプのタンクα、βの中間に、速度調整弁２ケ配設連結し、低圧（１２Ｖ以下）低容量（３０Ｗ以下）の電気モータ（別置きのバッテリー電源からとったもの）３０〜８０ＲＰＭで外軸を回し、同軸に固定カムの回転とアームを介しα、βタンクに交互作用する力を与え、６ケの水平軸型シリンダーの内、同時３ケづつ常にピストン作動力を、先の逆回転不可ワンウエイクラッチ付ロットエンドでインターナルギヤーに連結の３ケのギヤーに伝え、遊星歯車で増速後の中心軸回転８００〜１２００ＰＰＭ高トルク値力を、ジエネレータ、ロータに直結し、羽根車付風力発電装置に使い常に定格発電し、強風、台風の際には約１０％（日本横浜）プラス発電出力を得るものでα、βタンク内に封入の流体は１切捨てない、循環型のため、排出物ゼロタイプの６角型６ケシリンダ付増幅モータ付風車発電装置。タンク内流体補充は上記と同じ。
【請求項６】
下水道、小放水路、及び海など、おだやかに流れる水（水速０．１ｍ／秒以上の水面に、甲板付小型ボート状の舟ブイを浮かべ、前方をチエンで固定し、そのブイの中に増幅モータ付発電装置を搭載した水上水空力発電。
ブイ両脇にキヤタビラ型水車の回転力をカム軸に連結し、ドーナツ型の気体低圧タンクをカム作動のメカニカルバルブ排出入多数のシリンダー、ピストン作動に液体を含め変換し、３０〜８０ＲＰＭ、３ｋｇ／ｃｍ２を、６００〜１０００ＲＰＭ、３００ｋｇ以上−ｃｍトルクに換え、ローター回転力で３００〜５００ＫＷの発電量を水中から地上に運ぶ方法で、ブイ内のジエネレーター発熱は羽付ロータの作動で甲板中央から吸気し、甲板外周から排気し、温度低下をはかる。
【請求項７】
風力及び水空力発電に搭載する増幅モータに於て、捨てない気体、液体を使い、偶数個のシリンダの１／２に同時吹出しカム付メカニカルバルブ配流体方式で、ピストン先端の作動力を、プロペラ、アーム、ラック、カマ型アーム、及びクランク式レバー力をぶつけ、インターナルギヤーの円滑回転をジエネレータロータに伝える偶数角型増幅モータ付発電。気体タンクからシリンダーへの配流方式は中心上軸上部に設けるロータリバルブ方式、カムの接触によるメカニカルバルブ方式。カムによるアーム作動でゴムタンク押し方式などを使い分ける。
【手続補正２】
【補正対象書類名】明細書
【補正対象項目名】全文
【補正方法】変更
【補正の内容】
【発明の詳細な説明】
【技術分野】
【０００１】  本発明は、風のある時は風力で発電し、風のない時は増幅モータが回し２４時間休みなく回り発電する風力発電装置。気体の空気、液体水力に、磁力を加え、高増幅倍率１００倍以上で垂直軸型風車用垂直軸型適応新ジエネレータ搭載タイプ。及び増幅モータのみ搭載の乗物。
【背景技術】
【０００２】  平均風速３．３ｍ／秒の風より吹かない日本都心部でも２４時間風車が回り発電し、強風では、定格の１０％プラス発電し、台風歓迎型で雷にも強い小型で、１．２ＫＷ（家庭３軒分）〜４００ＫＷ（業務、工場用）出力のため従来の大型水平軸型風力発電の集中タイプを自己発電でその場で電気を使う分散タイプに変更し、合理性の達成可能となった。その背影は、増幅モーターの研究に、ヒトの体内の心臓、肺、血液の流れ、などを眞似たもの。ジエネレータのコギングロスを減少した平面利用技術の２者である。
出願特許  ２００６−３０９６９２
【発明の開示】
【発明が解決しようとする課題】
【０００３】  風がなくても風力発電し、水の流れが止まっても水力発電する装置の発明などは、多くの研究者が進めているが、新らしい超音波発電、電子力発電、電波力発電などの実用化迄の期間を発明の風力発電で分散型として実用化を進める。当面の風力発電は、電気モータによる入力が必要で、「エネルギー不滅の法則を覆えす」ものではないが、できるだけ小入力で増幅力を高め、入力不要の開発は、次世代技術者に任す。
従って、空気、水などを使い機械的力を活用し、１００倍以上の増幅倍率への挑戦と、コギングロスの小さい１０ｋｇ−ｃｍ以下のトルクジエネレータの発電課題とする。そして自己使用電気は、自己発電による。
【課題を解決するための手段】
【０００４】  本発明の増幅モーターは、ヒトの体の眞似をした。ヒトの肺の代りにゴム風船を。吸入酸素の代りに空気を。心臓の代りに電気モーターカムを。そして血液の代りを水、油などの液体を配置し、一切の排出物をださために磁力も使う手段とし、台風、強風など風のある日は、定格出力にプラス発電になるようにした。
又、ジエネレータは、垂直軸羽根車をもつ風力発電と同じ垂直軸タイプにし、銅線巻きステーターの平面の上側面と下平面の２面を永久磁石平面２面に接近させ、僅少寸法ロータ回転磁界、電機子電流を下部へ取出すコギングロスの小さいロータトルク１０ｋｇ以下−ｃｍのローター回転ジエネレーターを搭載した。
さらに、乗物の１つとして、増幅モーター搭載の電動自転車に代る空液自走自転車を実用化する。
【発明の効果】
【０００５】図１、図２は、４角型増幅モータの１例を示す。本体の別置き空気ポンプ電源ＯＮすると、４ケのゴム風船（８）に圧力センサー迄エヤーが入り、ポンプはＯＦＦとなり、小型モーター（９）が駆動し、上部外軸（３９）の回転で、風船押しカム（１０）とくび振りカム（４７）の２ケがタイミング稼働すると、２ケ１組でゴム風船が押され、垂直ピストン（１２）が降下、下のシリコン油入りピストンの作動で従ピストン（７）が水平に動き、先端のロットエンド（６）
2009108845.tif 000017
ＲＰＭ）増速遊星歯車郡（３）が回り、約１０００ＲＰＭでジエネレータロータ軸（２）を回し発電する。【０００６】  増幅モータと別置き箱には、充電器付小型バッテリー。１００Ｖインバータ。圧力センサー付空気ポンプ。及び小配管と電線を入れ発電装置本体と連結しさらに
１）ゴム風船の空気補充は、センサー作動で、常に充電されたバッテリー電源から配線できるため歯車の回転が変動しない。
2009108845.tif 000018
歯車を回す速さとトルク値が安定する。それは、負荷時ジエネレーターロータに与えるトルク値は３〜５倍になる。（１．２ＫＷ出力時モータは３５０ｋｇ−ｃｍ
３）ゴム風船には、逆止弁、圧力センサー（４９）があり安定回転する。
４）主ピストン下部油量補充は補充液管（４８）で外からでき、約１年１回位で済むため心配がない。
５）ゴム風船押し円板（４２）、外周リング（３８）及び風船受板（３６）は軟質材のためゴム風船の耐久性は、非常に長く５年以上耐久可能シリコンゴム等とする。
６）３ＶＤＣモータ（９）、風船押しカム（１０）、アーム（４０）及びくび振りアーム（４３）などに加えられる荷重減少のため、２ケのカム作動タイミングに配慮したので円滑作動する。
７）ジエネレータ発生熱飛散上昇可能タイプにしたので増幅モーター室内圧が約０．０５ｋｇ／ｃｍ２可となり、雨、ホコリの進入を防ぐ。
８）油などの液体リークを少なく、耐久性向上、摩察抵抵抗低下のため、主ピストンシール（４４）及び従ピストンシール（４４）をエッキスリングシール中央の磁気入り角リング（５４）にシリコン油付磁性ペーストを注油し、シール面に油膜を作り、低摩擦で高シール機能をもつ。
９）従ピストン（７）入りのシリンダーは、往復時回るため、その下部に、ガラスボール（２１）を入れ中心軸を磁石にし、さらに衝撃防止にゴムクッション（４５）を入れた。
以上の通り、１００Ｖ、１２００ワット出力の場合増幅モーター付風力発電はジエネレータトルクの３〜５倍力がでるため、水平軸大型発電装置に比べ、大
2009108845.tif 000019
を基準設計とした中型３００ＫＷ。さらに大量５００ＫＷの実用化に挑戦し、送電ロス０にした分散型発電のモデルとしたい。それは、２４時間、雨の日も風に関係なく０年発電したい。そのことは、原発を減らし０にし、温暖化対策をしながら、発電コストを２２円／ＫＷ（他社の風力発電）を１円以下／ＫＷ達成する効果がある。【０００７】  図３、図４の左半分は、図１、図２の増幅モータと少し異なるものでインターナルギヤーを回すための歯車（５）を４ケにしたもので風船１ケに１ケとしたため風船ふさぎカムが必要となり（１３）主ピストンより従ピストン（７）へ送る液体の質により、特殊バルブ（２５）の中が変る、図１より高価。【０００８】  図３、図４の右半分は、図１に比し配管部を増し、１般のシリンダーと同じダイヤフラム（１７）方式とし、ゴム風船をやめ、ドーナツ型ブラダ内周、外周風船とし、内周風船に窒素ガス１ｋｇ／ｃｍ２を入れ、外周風船の空気をメカバルブ（１５）でシリンダーに配分、ピストンの上昇は両ピストンに入れたスプリング（１６）（３７）で戻し、空気は、バルブを通りα室へ戻る。βはα作動補助。図１に比し正確動作が劣り、ガス、空気、油の補充は、上部ノズル（１９）で行う。【０００９】  図５、図６は、本発明のジエネレータを示すもので風力発電の中でも垂直軸専用である。風のない時は８００〜９００ＲＰＭでローターが回り、小型で１．２ＫＷ１００Ｖの出力、大型で５００ＫＷ２００Ｖの出力となる。台風など強風では、１０００〜１２００ＲＰＭで回り約１５％の出力ｕｐとなる。
フエライト磁石（２８）とフライホイル（３２）（３３）を立上げ曲げ羽空孔部の多い磁石受板（２７）に接合し、中央ステーターの上下面に向け中心下軸（２）に固定し回す。中央のステータは、下面にケイ素鋼板円板３１）の上に３角形のパーマロイ鉄芯（３４）を接合し、その外周にφ０．３〜０．７の銅線を３極とびに８００〜１０００回巻線し、上下面の磁石平面との隙間０．６〜０．８ｍｍを維持し外周部固定し、ローター磁石面との間に発生する回転磁回で発生する電気子電流を発電出力として下部へとり出すジエネレータ
2009108845.tif 000020
φ０．５ｍｍで８００ＲＰＭの場合１００Ｖ、５Ａ、３相、１５０ＨＺ、力率遅れ８０に於ける発電出力約１２００ワットを得ることが可能。
面平面度保持のため、下ロータの下に磁性ペースト付のガラスボールφ３ｍｍを入れ（２１）下フライホイル（３３）で受け、上部フライホイル（３２）の下部にも受けるが磁性ペースト（シリコン油入り）の飛散防止のため、ガラス
2009108845.tif 000021
のプラスチック磁石を入れる。ジエネレータ発熱空気を上昇させるため、ロータの磁石受板の下に気体吸い込み羽を設け開孔部を（３５）増大し、ステーターにも窓（３５）を多くし、さらに上ロータ受板には気体上昇用羽を設け、フライホイルにも多の窓（３５）により昇温を防止する。
エネルギー変換倍率０．６〜０．９倍の小型ジエネレータのくせに高出力を特長とするもの。図６の左半分はロータ、右半分はステーターの平面を示す。【００１０】
2009108845.tif 000022
、高さ６０ｃｍで重量約２０ｋｇ、マンシヨンでは、北側の通路、外吊るし、戸建ち住宅では北側窓外吊るし、１２００Ｗ２４時間、定検迄５年間連続発電３家族分発電し、２家分売電。
2009108845.tif 000023
は、台風歓迎タイプ。雷、鳥にも無関係で美しい国づくりに役立つ。【００１１】  図８は、ピストン、シリンダー部の空、油圧シールの２リップの中間に磁気ゴム角リングを入れ、磁性ペーストを注入し、常にシールの接触面に潤滑油の保持ができ、耐久性を向上した。【００１２】  図９は、風車軸、ジエネレータ軸などの荷重受部に、１般のスラストベアリングの代りとして使用するもので、ガラスボール（２１）と接するＲ付きφ３ピン（２６）外周に２ケの磁石（２３）とさらにピンを芯とした水平方向の偏芯防止ボールベアリング（５３）を入れ、中心ボール周辺に、シリコン油の粘度の高いものにＦｅＯ４粉を混合した磁性ペースト（２４）を注ぎ、１）回転トルク低下、２）耐久性３倍、を可能にした。風車の中心軸以外のジエネレータフライホイル部の他、応用し、１般スラストボールベヤリングより安価で長寿命。【００１３】  図１０は、超小型増幅モーターを乗物としての自転車に搭載し、電動自転車の代りとする。又、偶数角型増幅モーターの称をメイモとし、図表示。（冥王星モータ  ３輪で２人乗り座席付きの前座席下部に増幅モータを入れ、従来自転車と同じ足踏みペダルの回転力を初動のみに使い、上部外軸（３９）を回し図１の中心下軸を回し、ジエネレータをはずし、後輪の回転力として走るもの。走行が初まると、前輪の回転で駆動する小型ダイナモ（現自転車のライト用と同じ）の作動で２ケのカム（１０）（４７）が回るため、足踏みペダルの動作不要。走行速度制御、（ＭＡＸ３０ｋｍ時）はすべてブレーキ、及び電気的、軸回転数制御方式であるため、電池不要、従って充電不要。ジーゼルエンジン油不要。ガソリン等１切不要、荷物置場も充分で静かに走るため、新聞配達バイクの代りとなり、タクシーなどにも利用可能な、停車時倒れないためバイク、自転車のように倒れどめ不要（ブレーキのみ）の安全合理的手軽軽量子供、年寄り、合羽不要の三輪風船車。
尚、増幅モーターの重量が約３ｋｇ従来の自転車にプラスとなるが軽量化対策として、１）前輪柱。２）床板。３）座席。４）後輪カバー５）ひじかけ。などには金属の使用をやめ、厚み０．５ｍｍのポーラスグラスファイバを樹脂と接合の材料
2009108845.tif 000024
【００１４】  図１１は、雨風の日も合羽、傘なしで安全に走行できるカバーを取付、取はずしの容易型とし、前カバー材には、里芋の葉の如く雨、水がつかない表面にし、ワイパーを不要とした。【００１５】  図１２は、半ドーナツ形流体タンク（α）（β）の２ケの中間を、速度調整弁（５８）２ケで連結し、タンク内を空気と低粘度高潤滑性シリコン油少量加えた流体圧１．５ｋｇ／ｃｍ２に保ち、別置きの１２Ｖ充電機付バッテリー電源で１５Ｗ電気モータを回し、交互押しカム（５５）作動、特殊形アーム（５９）で水平形首振りシリンダー（５６）６ケの内の３ケに配流体管し、ワンウエイクラッチ付ロットエンドアーム（６０）の作動で、３ケの歯車軸（５７）、インターナルギヤー（４）、ジエネレータロータ（１）を８００〜１２００ＲＰＭ、及び３０ｋｇ−ｃｍ以上のトルク値を得ることのできる６角型流体増幅モータ付風車発電装置。既存の水平軸風力発電に比し、約１３０倍の高出力を発電コストも安価で、小型で１．２ＫＷＨで３円／ＫＷ。中型で２００Ｖ３００ＫＷＨで１円／ＫＷＨ。大型は２００Ｖ５００ＫＷＨで０．５円／ＫＷの試算。台風歓迎型の本機は、小型で低位置のため雷対策、鳥飛び対策、及び無排出物方式で而も２４時間休みなく安定分散型発電といえる。タンク内の圧力低下発生時には、センサーにより自動的に別置きの電気ポンプ（１２Ｖ、１５Ｗ）で補充し、ジエネレータ発熱気体は風車の中央からとりだし、上昇気体を常に温水機に導き入れ可能。
図１３は、平面図。【００１６】  図１５、図１６の左半分は、流体に気体と液体の双方を同時使用する増幅モーターをシリンダー６本の外向き配置で高出力を得るタイプを示す。
気体ポンプ兼上軸回転用モーターでαタンクに２ｋｇ−／ｃｍ２の気体を貯え、カム（６１）でαタンクの内腹を押し、出てくる気体を渦巻ゴムチューブ（６５）内のボール２個に当て、α‘タンクと連動させ、中の液体を３本のシリンダーに同時に移動し、ピストン（６３）力をアーム（Ａ）を介して、インターナルギヤーに固定のローラー（６４）にあて力強い回転を得るタイプ。シリンダーから排出されたエアー等の気体は２ヶ所のタンクβ、β’に戻るが、液体はα‘に戻る。本タイプは、入力モーターの増幅倍２５００以上が確保できるため小型で大出力を得、チューブ材質にシリコンゴム、ウレタンゴム等を使い、液体にシリコンオイル等の油にテフロン粒子、粉末等を入れ、血液のような材質にし、４０年寿命品目とした。【００１７】  図１５、図１６の右半分は、上記と同じ方式の圧流体を外周近くの固定した６本のシリンダーに順次送り込む方法で、ピストンヘッド（６３）は、Ｙ型アーム（６６）に適した形にし、このアームは、とめ軸を軸芯から偏芯していて回るタイプのため、大トルク値を得る。気体⇒液体⇒シリンダー方式は、上記左半分と同一。【００１８】  図１７、図１８の左半分は、６本のシリンダー（５６）を傾斜取付し、ピストン（６３）でアーム（Ａ）を押し、アーム軸を介してプロペラ（６７）を回し、インターナルギヤー（４）を回す方式で、ピストン速度の変動を４枚羽プロペラで安定回転を保持する。プロペラと接触するローラー（６４）は、耐久性向上と防音のため、ウレタンゴム材質とする。又、プロペラ軸には、ワンウエイクラッチ（５）を設ける。【００１９】  図１７、図１８の右半分は、６本シリンダー（５６）のピストンに、ギヤー丸ラック（６２）を固定し、インターナルギヤー（４）の内側の増速ギヤー（３）と同軸ワンウエイクラッチ付小ギヤーを回す方式。３本ピストンを交互に出し、円滑運動でインターナルギヤーの回転数を８０ＲＰＭにし、更にトルク値上げる。【００２０】  図１９、図２０の左半分は、６本シリンダー（５６）を傾斜固定し、ピストン（１２）で、Ｒ型ギヤーラック付山型アーム（６８）を押し、増速ギヤーを介し、インターナルギヤーを回す方式。ラック長さが、図よりも長くなるため、回転の円滑化向上と８０ＲＰＭ以上が得られる。【００２１】  図１９、図２０の右半分は、外周向き６本のシリンダー（５６）のピストン（６３）を外向きに出し、鎌型アーム（６９）の動作をインターナルギヤー（４）の外周近くのローラー（６４）に当て、回転を与えるもので高速回転用途に適す。
【産業上の利用可能性】
【００２２】  偶数角型増幅モータ付発電装置は、送電ロスのない分散型発電方式の典型といえる自家発電方式のため、次の産業に利用できる。
▲１▼原発、▲２▼ダム水力発電、▲３▼火力発電、▲４▼石炭発電、▲５▼ガス発電、▲６▼バイオマス発電、▲７▼海洋温度差発電、▲８▼地熱、▲９▼ソーラ、▲１０▼水素、▲１１▼１般風力、▲１２▼１般水力、など、多くの今迄の発電方式に比し発電コストが最低。のため今迄の発電方式に代るものである。これは、今、世界の技術者が研究中の１）電子力発電。２）電波力発電。３）入力なしのジエネレーター磁力発電。などの実用開発の時迄の期間、継続する。【００２３】  本発明のメイモ（偶数角型モータ）を乗物の１つとして自転車に搭載し、次に、水上の船、空上の航空機などに搭載し、京都議定書の約束を守る産業に利用する。
【図面の簡単な説明】
【００２４】
【図１】本発明の４角型増幅モータ。４ケのゴム風船の内２ケ、１セット２ケ、のカムによる交互動作タイプの正面図
【図２】図１のカム２ケの内くび振りカム（４７）を示めす左半分平面、風船押しカム（１０）を右半分平面図。
【図３】本発明の４角型増幅モータの内、図１と異なるタイプ構造をもつ左分及びドーナツ型風船にした右半分正面図。
【図４】図３の平面図。
【図５】本発明の垂直軸型ジエネレータ正面半断面図。
【図６】本発明の垂直軸型ジエネレーターのローターを左半分。ステータを右半分に示す平面図。
【図７】本発明の増幅モータ付風力発電装置の外観を示す斜視寫眞図。
【図８】本発明の往復動空油圧シールの半断面図。
【図９】本発明の磁気ペーストスラスト軸受正面断面図。
【図１０】本発明の増幅モータ付乗物の内、３輪自転車の斜視図。
【図１１】図１０のカバー斜視図。
【図１２】本発明の６角型増幅モータの正面断面図。
【図１３】本発明の６角型増幅モータのシリンダー部平面図及びカム部平面図。
【図１４】本発明の偶数角型増幅モータ付水上水力発電装置の正面外観図。
【図１５】本発明の外向きシリンダー、アーム１２ヶ付タイプ正面半断面図及び、横向きシリンダー、Ｙ型アーム偏芯支点３ヶ付タイプ正面半断面図。
【図１６】上記モーターの平面図
【図１７】本発明の外向きシリンダー６ヶ、ピストン６ヶにプロペラ付アームタイプ正面半断面図及び、横向きシリンダー６ヶピストンヘッドにラック付増幅ギヤー６ヶタイプ正面半断面図。
【図１８】上記モーターの平面図
【図１９】本発明の横向きシリンダー６ヶにＲ形ラック付山型アーム６ヶで増速ギヤー回しタイプ正面半断面図及び、外向きシリンダー６ヶに鎌型アー厶付タイプ正面半断面図。
【図２０】上記モーターの平面図
【符号の説明】
【００２５】  １．ジエネレータ  ロータ          ２．中心下軸
３．遊星歯車群                    ４．インターナルギヤー
５．ワンウエイクラッチ付歯車      ６．ロットエンドアーム
７．従ピストン                    ８．ゴム風船（αタンク）
９．ＤＣモータ                  １０．風船押しカム
１１．風船押しアーム              １２．主ピストン
１３．風船ふさぎカム              １４．外周風船α
１５．メカニカルバルブ            １６．従ピストンスプリング
１７．ダイヤフラム                １８．内周風船（βタンク）
１９．補充ノズル                  ２０．上軸
２１．ガラスボール                ２２．上下調整ボルト
２３．磁石                        ２４．磁性ペースト
２５．特殊バルブ                  ２６．丸ピン
２７．磁石受板                    ２８．ロータ用磁石
２９．ステータ固定具              ３０．銅巻線
３１．ステータケイ素円板          ３２．上フライホイル
３３．下フライホイル              ３４．パーマロイ鉄芯
３５．通気窓                      ３６．風船受板
３７．主ピストンスプリング        ３８．外周リング
３９．上部外軸                    ４０．アーム、モータ保持具
４１．スプリング                  ４２．風船押し円板
４３．くび振りアーム              ４４．磁石角リング付Ｘリングシール
４５．ゴムクッション              ４６．シリコンゴム気体チューブ
４７．くび振りカム                ４８．補充液管
４９．補充気体接手                ５０．ロータ空気上昇羽根
５１．グラスファイバーフィルター  ５２．交互振分け板
５３．ボールベヤリング            ５４．磁気ゴムリング
５５．交互押しカム                ５６．水平形首振りシリンダー
５７．歯車軸                      ５８．速度調整弁
５９．特殊型アーム                ６０．ワンウエイクラッチ付ロットエンドアーム
６１．カム                        ６２．丸ラック
６３．ピストンヘッド              ６４．ローラー
６５．ゴムチューブ                ６６．Ｙ型アーム
６７．プロペラ                    ６８  山型アーム
６９．鎌型アーム
Ａ．アーム                        Ｃ．カム
α．ドーナツ型ゴムタンク上        α’．ドーナツ型ゴムタンク下
β．小型排タンク上                β’．小型排タンク下
【手続補正３】
【補正対象書類名】図面
【補正対象項目名】図１２
【補正方法】追加
【補正の内容】
【図１２】
2009108845.tif 000025
【手続補正４】
【補正対象書類名】図面
【補正対象項目名】図１３
【補正方法】追加
【補正の内容】
【図１３】
2009108845.tif 000026
【手続補正５】
【補正対象書類名】図面
【補正対象項目名】図１４
【補正方法】追加
【補正の内容】
【図１４】
2009108845.tif 000027
【手続補正６】
【補正対象書類名】図面
【補正対象項目名】図１５
【補正方法】追加
【補正の内容】
【図１５】
2009108845.tif 000028
【手続補正７】
【補正対象書類名】図面
【補正対象項目名】図１６
【補正方法】追加
【補正の内容】
【図１６】
2009108845.tif 000029
【手続補正８】
【補正対象書類名】図面
【補正対象項目名】図１７
【補正方法】追加
【補正の内容】
【図１７】
2009108845.tif 000030
【手続補正９】
【補正対象書類名】図面
【補正対象項目名】図１８
【補正方法】追加
【補正の内容】
【図１８】
2009108845.tif 000031
【手続補正１０】
【補正対象書類名】図面
【補正対象項目名】図１９
【補正方法】追加
【補正の内容】
【図１９】
2009108845.tif 000032
【手続補正１１】
【補正対象書類名】図面
【補正対象項目名】図２０
【補正方法】追加
【補正の内容】
【図２０】
2009108845.tif 000033
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
風のない都心部など地域に於ける垂直軸型数枚羽小型風力発電に於いて、風車の内側上部を増幅モーター室（冥モ）、下部をジェネレーター室（ジ室）、冥モ室上部に１対２ヶの低圧（１〜６ｋｇ／ｃｍ２）気体タンク（風船、ゴムタイヤ、チューブ半割等）を設け、空気、水油、磁性流体などの流体を交互に出入れ循環する機械電気的構成、即ち振り子アーム、ロータリーバルブ、メカニカルバルブ、他、制御バルブ、及び１次、２次、３次シリンダーなどをタイミング良く操る小入力（３〜１２Ｖ）電気モーター付きカム、及びワンウェイクラッチロットエンドアーム、歯車群を経由してなる高トルク値１，０００ＲＰＭ回転力、冥モには別置きに各流体漏れ補充用極小型ポンプ及び電気センサー制御機器、充電器付きバッテリー（３〜１２Ｖ）、インバーター等を１００Ｖ，２００Ｖの使用電源分離器付き。そして、冥モは人の人体を真似、心臓＝モーターカム、両肺＝１対のタンク、血液＝磁性流体などで永く動き、磁石付きシール機能で漏れも少ない。
新発明、平面２面発電高出力型ジェネレータロータ軸に冥モ軸を直結した偶数角型増幅モーター付き、台風歓迎、地震、津波、雷などの天災に強く非鳥害、安定出力脱ＣＯ２型（１００Ｖ、２００Ｖ、１．０ＫＷ〜５００ＫＷ、１ＫＷ当たりＣＯ２量３ｇ、風当たりの悪い場所など、小型で何処にでも置け、既存の風力発電に比べ安価）風力発電装置。（仮名「冥モ」＝偶数角型増幅モーター＝冥王星モーターの略称。）
【請求項２】
水力プラス増幅モーター力発電装置に於いて、水上に浮かべた甲板付き小型ボート状の舟ブイ両脇にキャタピラ形の水車２基を設け、ゆっくり流れる水による水車回転力を垂直中心軸に移し上記請求項１の通り、１対の低圧気体タンク、ロータリーバルブ、メカニカルバルブ、カム、カムアーム、１次シリンダー、２次シリンダーをタイミング良くカム動作により、気体、液体、磁性流体を循しながら高トルクでインターナルギヤを回し、新発明の高出力ジェネレータを約１，０００ＲＰＭで回し、発電電気を水中から地上のインバータに移し、地上で使用する電気に変える。
暗渠を含む下水道、放水路、海など少しでも水の流れのある場所に手軽に浮かべる。舟ブイの水車、前には集水カバー、甲板には集気孔、甲板外周には排気孔、などジェネレータ熱分散対策とする他、気体圧補充用極小型ポンプ、圧力センサー含む電気制御機器など搭載し、入力主軸３０〜８０ＲＰＭを歯車群で６００〜１，０００ＲＰＭでジェネレータを回し、３００〜５００ＫＷ出力の発電を１隻で行い、大型台風、地震、雷などの天災無関係、巾１．５ｍ以上、水深１ｍ以上の水路に長く多隻をチェーンで繋ぎ浮かべ、２００隻連ね方式で原発１基分の２０万ＫＷ分を賄う水空磁力大出力発電装置。水上の水冥モ力高出力（３００〜５００ＫＷ）安定発電装置。（１ＫＷ当たりＣＯ２排出量３ｇ）
【請求項３】
三輪自転車に於いて、座席前のワンウェイクラッチベアリング付き足踏みペダルを左右交互に踏み初動走行すると、冥モ室内の中心軸が約６０ＲＰＭになると請求項１と同一としモーター軸が回り、空気、液体、磁性流体力でインターナルギヤを回し、後輪をチェーンで回し、３０ｋｍ／ｈ以下の速度で走行する自転車。ライト及び電気制御機器補助電源は、前輪のダイナモ３Ｖから取り、走行中のみ発電方式で、エアータンク、磁性流体など流体補充は手動とし、速度制御も前方ブレーキペダル、停止時は初めからやり直す。
従来の既存自転車と異なる点は、雨降りに水を防ぐ前上カバーを設け、雨の水滴付着防止のため前を里芋葉処理プラスチックとし、金属材を減らし軽くするため、前輪柱、ハンドル、床板、座席、荷物置き場、肘掛け、後輪カバーなどグラスファイバー０．３〜０．７厚みの外周を高強度アクリル等のプラスチックで固め、アルミ以上の強度を保つ材料に替え、停止時のストッパーもやめブレーキのみとする。スクーター、バイク等よりも小型で電動自動車のようにバッテリー充電不要、ガソリン不要の二人乗り冥モ搭載回転トルク１．５ｋｇ−ｃｍ以上の回転力を持つ雨降りＯＫ、２角型増幅モーター付き空、磁力自転車。また、本発明の自転車搭載の請求項１増幅モーターを船、航空機などの乗り物にも適用していく。
【請求項４】
垂直軸型ジェネレータに於いて、多極三角型パーマロイ鉄心付き平面上ケイ素鋼板の厚み大、鉄心外周部下部固定３極ピッチで導線巻線したステータの上下面に発生する磁石を羽、フライホイル、スラストボール、磁気ペースト軸受け及び多数の永久磁石を設けたロータ２ヶの中央軸を１，０００ＲＰＭで回し、ロータ、ステータ隙間０．１〜１．０ｍｍ二面で発生する回転磁界、電気子電流を取り出し、別置きのインバータ経由発電使用電源とする他、３〜１２Ｖ充電装置付きバッテリー及び流体補充ポンプセンサー作動、入力電気モーターの電源とする。大面間面積を持つロータ２個タイプの１００Ｖ、２００Ｖ、高効率発電ジェネレータ。
【請求項５】
Ｆｅ２Ｏ４の超微粉末をさらに微粉化加工し攪拌、真空中に適量のシリコン油を注入し、血液のような液体を磁性流体として製造する。本流体は、気体シリンダー、液体シリンダー等の圧力流体として使用し、サマリウムコバルト系及びネオジウム鉄、ボロン系の高エネルギー積の磁石材を含有するゴム、プラスチック磁石と高磁化の強さを持った金属磁石などのシール効果向上、摺動部の潤滑効果向上（ベアリングも含め）、及び摺動音低下、耐久性向上及びＦｅ２Ｏ４の含有量の差による流体速度調整効果を生む。又、ゴムパッキンその他の弾性体材料によるシールの他にメカニカルシールの如き固体面摺動シールの片面に強磁性の上記材料を使用し、シール効果向上などの効果をあげ、軸受けの一部に摺動部油飛散防止材として使用し、常に油膜保持を計る。磁気ループに於ける作用磁場は、Ｍを磁石容積、ｍを拘束された磁性流体容積、Ｋを磁気漏洩係数とリラクタンス係数の積、Ｉを流体の磁化強さとしたとき、Ｈｄ＝（Ｍ／２）／（ｍ／２×Ｋ／２）×磁石エネルギー積の１／２、シール力（ｆ）＝Ｈｄ×Ｉで示され、請求項１の増幅モーター内の流体（Ｉ）の値は、約１，５００ｅｍｕ／ｃｍ２である。
【手続補正書】
【提出日】平成20年6月13日(2008.6.13)
【手続補正１】
【補正対象書類名】図面
【補正対象項目名】図１４
【補正方法】変更
【補正の内容】
【図１４】
2009108845.tif 000034
【手続補正書】
【提出日】平成20年8月25日(2008.8.25)
【手続補正１】
【補正対象書類名】特許請求の範囲
【補正対象項目名】請求項１
【補正方法】変更
【補正の内容】
【請求項１】
日本の都心部は、年平均風速４ｍ／秒以下でほとんど風がなく、風力発電も山上、海浜等の地区で、しかも１００ｍの上空で水平軸風力発電で、都心からはるか遠く、原発と同じ集中型発電にならざるを得ないため、これを改善し、風のある時は風で回し、風のない時は偶数角型増幅モーター（冥モ（メイモ））で回る垂直軸小型５枚羽風車風力発電を発明（仮名冥モ＝冥王星モーターの略称＝偶数角型増幅モーター）。
風車の中の上段の増幅モーター室（冥モ室）、下段を新ジェネレーター室を設け、冥モ室上部に一対（２〜６ケ）の低圧気体タンク（１−６ｋｇ／ｃｍ２ゴム風船、ゴムタイヤ、チューブ及び半割ドーナツ等）を設け、気体・液体および磁性流体を酸素吸入の肺、食水物の内臓、血液の磁性流体の如く、すべて人体構造を真似た構成の増幅モーター付き風力空力発電。各流体は、一切切り捨てない循環型にし、タイミングよく各ピストンに配流する入力の小型電気モーター軸の回転をカムとカムアームを動かし、又カムでロータリーバルブ、及びメカニカルバルブを連動し、配流体を速度流量制御付ノズルから１−３次シリンダー及び各々のピストン作動により得た強トルク値６０ＲＰＭの回転力をさらにインターナルギア群で増速し、８００〜１０００ＲＰＭ  軸で羽付垂直軸専用磁石付２枚合わせ新発明ローターを回し、中央の固定ステーターから取り出した発電電気を別置きインバーターに接続し、１００−２００Ｖ使用電源とする。
冥モ室の入力モータ及び流体圧不足時補充用ポンプ電気モーター電源は、３Ｖ〜１００Ｖの充電器付きバッテリーでインバーターと共に外置きし、風の有無による電気センサー制御クラッチを搭載した、メカ・電気併用式とした。磁性流体を含む液流体シールには、磁石入りゴムリングによりシール漏れを極小にし永年使用可とし、建物・住居屋上、及びベランダ、窓際、吊るしなど手軽に据付可能具付きとし、電気室、電気メーター近辺で配電線距離が短く、小型は主婦で取り付けでき、低価取付可能で、しかも風当たり悪い場所にも問題ない風水空力発電で、台風で羽破れなく雷、鳥などにも問題なく１０−３０年の耐久性あり。そして地球を７０年前に戻すためのＣＯ２量＝石油の１／４９４、原発の１／１４であり、世界の人達とともに喜びを分かち合いたい。
【手続補正２】
【補正対象書類名】特許請求の範囲
【補正対象項目名】請求項２
【補正方法】変更
【補正の内容】
【請求項２】
水力プラス増幅モーター力（仮名＝冥モ）発電装置に於いて、ゆっくり流れる水のある巾２ｍ以上の海、川、下水路、放水路（暗渠も含め）及び地震など天災心配地区を含め、自分で造ったＳＵＳ等の水路などの水上に、給、排気甲板付き舟ブイに上記請求項１と似た複数の増幅モーター付き新ジェネレータ搭載の発電装置（Ｃｏ２量＝原発の１／１４）。
舟ブイ両脇の集水器付きキャタピラ形状水車２ヶの水による回転力を入力とし、中央上軸１ヶの回転を２ヶ以上の上軸に同一方向、同一回転力で伝達し、各々のカムを回し、カムアームを動かし、ロータリーバルブ、メカニカル配管バブルをタイミング良く作動し、圧気体、液水、及び磁性流体などの流体を１〜３次シリンダーピストンに循環配流で得た直線高トルク力をギヤーの約６０ＲＰＭをインターナルギヤー群で８００〜１，０００ＲＰＭに増速力をこれまた全数の本発明ジェネレータロータ軸に直結しステータより取り出しの高出力電気を各々、別けたまま地上のインバーターに水中送電する水力入力の発電装置。
舟ブイには、センサー付き流体補充電気ポンプ（２００Ｖ発電電源用）、電気器具、異状温上昇信号機、及び舟ブイ連結具（タテ、ヨコ）を備え、巾広水路・長水路の双方可能とし、出力５００ＫＷ／隻。隻数により出力調整が可能。原発のように送電ロス（電圧低下４．８％、鉄柱などの送電ロス含め約３０％）のない、分散タイプの市内発電で、しかも自分で造る電気で地球の未来にも大きく貢献できる。
【手続補正３】
【補正対象書類名】明細書
【補正対象項目名】００１５
【補正方法】変更
【補正の内容】
【００１５】  図１２は、半ドーナツ型流体タンク（α）（β）の２ヶの中間を、速度調整弁（５８）２ヶで連結し、タンク内を空気と低粘度高潤滑生シリコン油を少量加えた流体圧１．５Ｋｇ／ｃｍ２に保ち、別置きの１２Ｖ充電機付きバッテリー電源で１５Ｗ電気モーターを回し、交互押しカム（５５）作動、特殊形アーム（５９）で水平形首振りシリンダー（５６）６ヶの内の３ヶに配流体管し、ワンウェイクラッチ付きロットエンドアーム（６０）の作動で、３ヶの歯車軸（５７）、インターナルギヤ（４）、ジェネレータロータ（１）を８００〜１，２００ｒｐｍ、及び３０Ｋｇ−ｃｍ以上のトルク値を得ることのできる６角型流体増幅モーター付き風車発電装置。
既存の水平軸風力発電に比べ約１３０倍の高出力を、発電コストも安価で、小型で１．２ＫＷＨで３円／ＫＷＨ。中型で２００Ｖ１５０ＫＷＨで１円／ＫＷＨ。大型は、２００Ｖ３００ＫＷＨで０．５円／ＫＷＨ。の試算。台風歓迎型の本機は、小型で定位置のため雷対策、鳥飛び対策、及び無排出物方式でしかも２４時間体み無く安定分散型発電といえる。タンク内の圧力低下発生時には、センサーにより自動的に別置きの電機ポンプ（１．２Ｖ，１．５Ｗ）で補充し、ジェネレーター発熱気体は風車中央から取り出し、上昇気体を常に温水機に導き入れる。図１３、は平面図。
図１４は水力プラス増幅モーター力発電装置に於いて、ゆっくり流れる水のある幅２ｍ以上の海、川、下水路、放水路（暗渠も含め）及び自分で造ったポンプ水付ＳＵＳ水路（地震等天災心配地区含め）など水路の水上に浮かべた給排気甲板付小型ボート状舟ブイに増幅モータ付ジェネレーターを搭載した大出力安定低ＣＯ２発電装置。
舟ブイ両脇に集水器付キャタピラ型水車２ケの回転力を入力電気モーターの代わりとし、垂直上中央軸１ケを２ケの上軸に移し、２ケのカム（６１）及びカムアーム（Ａ）、ロータリーバルブ、メカニカルバルブ（１５）などで、気体・液体及び磁性流体など３種の流体を１・２・３次シリンダーピストンをタイミングよく循環作動させながら、６０ＲＰＭ、高コルク力をギアに移し、インターナルギアー群（４）その他で増速８００〜１０００ＲＰＭで新発明高出力ジェネレーター、ロータ（１）並列２ケに接続し、得た発電力を地上のインバーターに水中送電し、地上併用。舟ブイには、シール磨耗などによる流体タンク圧低下補充流体ポンプ（２００Ｖ、１５Ｗ）、センサー等、搭載し、全自動充填し、仮名「水花」は、流れの巾広い水路に於いては横に並べ、橋の役目を果たし、長い流れに於いては縦に２隻以上をつなぎ水上の大容量発電所となり、ＣＯ２量は、原発の１／１４と低いため、原発の代替になり得る。又、発電コストも原発より低く、高安全性であり、分散型発電の典型といえるため、市内に天然水流れ以外に水路を新設し、数箇所の新設を仮定すると原発一基分の電力を送電ロスなく（今は送電ロス４．８％を含め３０％ロス）造り送れるから、地域経済に大きく寄与できる他、多くの人がともに考えた発電方法で、自分の電気は自分で造ることで、電気を節約して使う執念が浸透し、私たちの暮らしの守り方が強くなり、心豊かな人生が構築でき、地球の未来に向け大きく邁進できる（発電コストは原発の約１／５０）。
発電出力＝２００Ｖ、５００Ｖ（ＭＡＸ）／隻（冥モ＋ジェネレーター並列２〜３台搭載タイプ）＝家庭１２５０世帯分の発電量。工場団地の中央にカギ型ＳＵＳ水路１００ｍ−６本、水の汲み上げポンプ３０ｋｗ＝９２５００世帯分の発電が可能＝原発の１／４基分電力を得ることになり、市内に４ケ所発電所化で、原発一基分の電力を賄う。本発明の水力発電はＣＯ２量がソーラーの１／４と低いため、家庭用の仮名「京花」風力発電と共に早期実用化が急務といえる。
【手続補正４】
【補正対象書類名】明細書
【補正対象項目名】００２２
【補正方法】変更
【補正の内容】
【００２２】  偶数角型増幅モーター付き発電装置は、送電ロスのない分散型発電方式の典型といえる自家発電方式のため、次の産業に利用できる。１．原子力発電。２．風力発電。３．火力発電。４．石炭発電。５．ガス発電。６．バイオマス発電。７．海洋温度差発電。８．地熱。９．ソーラー。１０．水素。１１．一般風力。１２．一般水力など、多くの発電方式に比べ、下記のとおり優れている。
１．ＣＯ２の量が、▲１▼原発の１／１４、▲３▼石油火力の１／４９４、▲９▼ソーラーの１／３５とはるかに低ＣＯ２のため、温暖化防止のＴＯＰであり、今までの発電産業を即変更でき、利用可能性大である。
２．今、世界の技術者が研究中の電子力、電波力、ジェネレーター磁力など発電方式の実用化開発は３０−５０年先なると思うので、それまでの期間、本発明にて間に合わせ利用する。
３．本発明装置の発電コストは、次のとおり安いため、石油の価格上昇に無関係の唯一発電方式であり、石油産出国以外の多くの海外にも利用可能性有り。
▲１▼原発の１／６０、▲３▼火力の１／５、▲９▼ソーラーの１／４、▲１１▼他社水平軸日本風力の１／１０。
さらに、維持管理費が安く、３〜５年／回の定期点検のみ必要。
４．天災に強く、耐久性が長い。地震・雷・火事・台風・津波などに強く、防錆材料使用メイモ、ジェネレーター室内は極低圧力で粉・雨などの侵入が少なく故障が少ない。
５．本発明のメイモを乗物の一つである自転車に搭載し実例を発表したが、さらに船・ヘリコプターなど、入力のみを人力、他、で可能な商品に対し、次々と実用化開発を進め、京都議定書に関する産業に利用する。